(57)【要約】【課題】液晶画面を照明するバックライト光量を減少させつつ、液晶画面に映す画像輝度を上げる際に、もともと高い画像輝度がハレーションを起こさないようにする技術を提供する。【解決手段】液晶画面に表示させる画像において、画面を照らすバックライトが有する複数の光源の光量を減少させるとともに、画像輝度を上げる補正を行って、画像全体の明るさを適切にさせる、その補正を行う際に、画像輝度が第１閾値を超えないようにする。このため、画像において白くなる領域が無くなり、画像における看者に対する視認性を向上させることができる。【選択図】図７
2011248060.tif 000002
【特許請求の範囲】
【請求項１】
画像を表示させる液晶の画面を有する表示装置であって、
前記画面を照明する複数の光源を有するバックライトと、
前記複数の光源それぞれの光量を、前記画像の輝度に基づく基準よりも減少した光量に判定する第１判定手段と、
判定された前記光量に基づいて前記バックライトを制御するバックライト制御手段と、
前記画像の輝度を上げるための補正量を、前記光量の減少量に応じて導出する導出手段と、
前記導出手段に導出された前記補正量で前記画像の輝度を上げる補正をした場合に、補正後の前記画像の輝度が第１閾値を超えるか否かを判定する第２判定手段と、
補正後の前記画像の輝度が前記第１閾値を超えると判定された場合は、補正後の前記画像の輝度が前記第１閾値を超えないように前記補正量を低下する変更手段と、
低下された前記補正量で前記画像の輝度を上げる補正を行う補正手段と、
前記補正手段による補正後の前記画像を前記画面へ表示する表示制御手段と
を備えたことを特徴とする表示装置。
【請求項２】
請求項１に記載の表示装置において、
前記第２判定手段は、前記画像の一定の範囲である特定領域を対象に前記判定を行うことを特徴とする表示装置。
【請求項３】
請求項２に記載の表示装置において、
前記特定領域は、前記画面の中央に位置することを特徴とする表示装置。
【請求項４】
請求項１に記載の表示装置において、
前記画像は、カーナビゲーション画像であり、
前記第２判定手段は、前記カーナビゲーション画像の自車位置マークを含む一定の範囲である特定領域を対象に前記判定を行うことを特徴とする表示装置。
【請求項５】
請求項１に記載の表示装置において、
前記導出手段は、前記補正量を前記画像が有する複数の画素ごとに導出し、
前記変更手段は、前記複数の画素の前記補正量のそれぞれに同一の係数を乗算して、前記画像の各画素の前記補正量を低下するものであり、
補正後の前記画像の最大輝度が前記閾値以下になるように前記係数を設定する設定手段、
をさらに備えることを特徴とする表示装置。
【請求項６】
請求項５に記載の表示装置において、
前記導出手段に導出された前記補正量で前記画像の輝度を上げる補正をした場合に、補正後の前記画像において、前記第１閾値と前記第１閾値よりも低い第２閾値との間の輝度となる特定画素が所定割合以上含まれるか否かを判定する第３判定手段と、
前記第２判定手段が補正後の前記画像の輝度が第１閾値を超えると判定し、かつ、前記第３判定手段が前記特定画素が所定割合以上含まれると判定した場合は、前記変更手段を有効化する有効化手段と、
をさらに備えることを特徴とする表示装置。
【請求項７】
請求項１に記載の表示装置において、
前記補正手段は、前記補正量を前記画像が有する複数の画素ごとに導出し、
前記変更手段は、前記複数の画素の前記補正量のそれぞれに画素ごとに設定された係数を乗算して、前記画像の各画素の前記補正量を低下するものであり、
補正後の前記画像の最大輝度が前記閾値以下になるように前記画像の最大輝度の画素の前記係数を設定するとともに、他の画素の前記係数を当該画素の輝度が低いほど小さく設定する設定手段、
を備えることを特徴とする表示装置。
【請求項８】
請求項７に記載の表示装置において、
前記導出手段に導出された前記補正量で前記画像の輝度を上げる補正をした場合に、補正後の前記画像において、前記第１閾値と前記第１閾値よりも低い第２閾値との間の輝度となる特定画素が所定割合以上含まれるか否かを判定する第３判定手段と、
前記第２判定手段が補正後の前記画像の輝度が第１閾値を超えると判定し、かつ、前記第３判定手段が前記特定画素が所定割合以上含まれると判定しない場合は、前記変更手段を有効化する有効化手段と、
をさらに備えることを特徴とする表示装置。
【請求項９】
画像を表示させる液晶の画面を有する表示方法であって、
前記画面を照明する複数の光源を有するバックライトの前記複数の光源それぞれの光量を、前記画像の輝度に基づく基準よりも減少した光量に判定する工程と、
判定された前記光量に基づいて前記バックライトを制御する工程と、
前記画像の輝度を上げるための補正量を、前記光量の減少量に応じて導出する工程と、
導出された前記補正量で前記画像の輝度を上げる補正をした場合に、補正後の前記画像の輝度が閾値を超えるか否かを判定する工程と、
補正後の前記画像の輝度が前記閾値を超えると判定された場合は、補正後の前記画像の輝度が前記閾値を超えないように前記補正量を低下する工程と、
低下された前記補正量で前記画像の輝度を上げる補正を行う工程と、
補正後の前記画像を前記画面へ表示する工程と
を備えたことを特徴とする表示方法。
【請求項１０】
画像を表示させる液晶画面を有する表示装置であって、
前記画面を照明する複数の光源を有するバックライトと、
前記複数の光源それぞれの光量を、前記画像の輝度に基づく基準よりも減少した光量に判定する第１判定手段と、
判定された前記光量に基づいて前記バックライトを制御するバックライト制御手段と、
前記画像の輝度を上げるための補正量を、前記光量の減少量に応じて導出する第１導出手段と、
前記導出手段に導出された前記補正量で前記画像の輝度を上げる補正をした場合に、補正後の前記画像の輝度が閾値を超えるか否かを判定する第２判定手段と、
補正後の前記画像の輝度が前記閾値を超えると判定された場合は、前記複数の光源それぞれの前記光量の減少量を少なくする光量調整手段と、
前記画像の輝度を上げるための補正量を、前記光量調整手段による調整後の前記光量の減少量に応じて導出する第２導出手段と、
を備えたことを特徴とする表示装置。
【発明の詳細な説明】
【技術分野】
【０００１】
本発明は、画像を液晶画面に表示する技術に関する。
【背景技術】
【０００２】
近年、環境問題を背景に省エネルギー技術が重要とされ、省エネルギー技術を採用した、テレビ、携帯端末、パソコン、カーナビゲーション装置などの液晶表示装置が注目されている。
【０００３】
このような液晶表示装置に採用される省エネルギー技術には、例えば、バックライトを効率よく制御して、消費電力を大幅に減らす技術がある。例えば、特許文献１に、複数のＬＥＤを有するバックライトのそれぞれのＬＥＤの光量を、それぞれのＬＥＤが照明する画面に映る画像における複数画素の輝度に応じて制御する。つまり、比較的暗い低輝度領域に対応するＬＥＤの光量を比較的明るい高輝度領域に対応するＬＥＤの光量よりも少なくする技術が開示されている。
【０００４】
更に、そのバックライトの光量を制御して、画面に映る画像の明るさが所望する明るさにならない場合は、画素の輝度を上げる補正を行うことによって、その所望する明るさを得る画像処理技術が知られている。
【先行技術文献】
【特許文献】
【０００５】
【特許文献１】特開２００９−２５１３３１号公報
【発明の概要】
【発明が解決しようとする課題】
【０００６】
しかし、輝度が比較的高い画像に対して輝度を上げる補正を施すと、画像が白くなってしまい、画像の内容を看者に対し認識させることができない虞がある。
【０００７】
本発明は、上記課題に鑑みてなされたものであり、上記省エネルギー制御を採用した表示装置において輝度補正された画像の視認性を向上させる技術を提供することを目的とする。
【課題を解決するための手段】
【０００８】
上記課題を解決するため、請求項１の発明は、画像を表示させる液晶の画面を有する表示装置であって、前記画面を照明する複数の光源を有するバックライトと、前記複数の光源それぞれの光量を、前記画像の輝度に基づく基準よりも減少した光量に判定する第１判定手段と、判定された前記光量に基づいて前記バックライトを制御するバックライト制御手段と、前記画像の輝度を上げるための補正量を、前記光量の減少量に応じて導出する導出手段と、前記導出手段に導出された前記補正量で前記画像の輝度を上げる補正をした場合に、補正後の前記画像の輝度が第１閾値を超えるか否かを判定する第２判定手段と、補正後の前記画像の輝度が前記第１閾値を超えると判定された場合は、補正後の前記画像の輝度が前記第１閾値を超えないように前記補正量を低下する変更手段と、低下された前記補正量で前記画像の輝度を上げる補正を行う補正手段と、前記補正手段による補正後の前記画像を前記画面へ表示する表示制御手段とを備えたことを特徴とする。
【０００９】
また、請求項２の発明は、請求項１に記載の表示装置において、前記第２判定手段は、前記画像の一定の範囲である特定領域を対象に前記判定を行うことを特徴とする。
【００１０】
また、請求項３の発明は、請求項２に記載の表示装置において、前記特定領域は、前記画面の中央に位置することを特徴とする。
【００１１】
また、請求項４の発明は、請求項１に記載の表示装置において、前記画像は、カーナビゲーション画像であり、前記第２判定手段は、前記カーナビゲーション画像の自車位置マークを含む一定の範囲である特定領域を対象に前記判定を行うことを特徴とする。
【００１２】
また、請求項５の発明は、請求項１に記載の表示装置において、前記導出手段は、前記補正量を前記画像が有する複数の画素ごとに導出し、前記変更手段は、前記複数の画素の前記補正量のそれぞれに同一の係数を乗算して、前記画像の各画素の前記補正量を低下するものであり、補正後の前記画像の最大輝度が前記閾値以下になるように前記係数を設定する設定手段、をさらに備えることを特徴とする。
【００１３】
また、請求項６の発明は、請求項５に記載の表示装置において、前記導出手段に導出された前記補正量で前記画像の輝度を上げる補正をした場合に、補正後の前記画像において、前記第１閾値と前記第１閾値よりも低い第２閾値との間の輝度となる特定画素が所定割合以上含まれるか否かを判定する第３判定手段と、前記第２判定手段が補正後の前記画像の輝度が第１閾値を超えると判定し、かつ、前記第３判定手段が前記特定画素が所定割合以上含まれると判定した場合は、前記変更手段を有効化する有効化手段と、をさらに備えることを特徴とする。
【００１４】
また、請求項７の発明は、請求項１に記載の表示装置において、前記補正手段は、前記補正量を前記画像が有する複数の画素ごとに導出し、前記変更手段は、前記複数の画素の前記補正量のそれぞれに画素ごとに設定された係数を乗算して、前記画像の各画素の前記補正量を低下するものであり、補正後の前記画像の最大輝度が前記閾値以下になるように前記画像の最大輝度の画素の前記係数を設定するとともに、他の画素の前記係数を当該画素の輝度が低いほど小さく設定する設定手段、を備えることを特徴とする。
【００１５】
また、請求項８の発明は、請求項７に記載の表示装置において、前記導出手段に導出された前記補正量で前記画像の輝度を上げる補正をした場合に、補正後の前記画像において、前記第１閾値と前記第１閾値よりも低い第２閾値との間の輝度となる特定画素が所定割合以上含まれるか否かを判定する第３判定手段と、前記第２判定手段が補正後の前記画像の輝度が第１閾値を超えると判定し、かつ、前記第３判定手段が前記特定画素が所定割合以上含まれると判定しない場合は、前記変更手段を有効化する有効化手段と、をさらに備えることを特徴とする
また、請求項９の発明は、画像を表示させる液晶の画面を有する表示方法であって、前記画面を照明する複数の光源を有するバックライトの前記複数の光源それぞれの光量を、前記画像の輝度に基づく基準よりも減少した光量に判定する工程と、判定された前記光量に基づいて前記バックライトを制御する工程と、前記画像の輝度を上げるための補正量を、前記光量の減少量に応じて導出する工程と、導出された前記補正量で前記画像の輝度を上げる補正をした場合に、補正後の前記画像の輝度が閾値を超えるか否かを判定する工程と、補正後の前記画像の輝度が前記閾値を超えると判定された場合は、補正後の前記画像の輝度が前記閾値を超えないように前記補正量を低下する工程と、低下された前記補正量で前記画像の輝度を上げる補正を行う工程と、補正後の前記画像を前記画面へ表示する工程とを備えたことを特徴とする
また、請求項１０の発明は、画像を表示させる液晶画面を有する表示装置であって、前記画面を照明する複数の光源を有するバックライトと、前記複数の光源それぞれの光量を、前記画像の輝度に基づく基準よりも減少した光量に判定する第１判定手段と、判定された前記光量に基づいて前記バックライトを制御するバックライト制御手段と、前記画像の輝度を上げるための補正量を、前記光量の減少量に応じて導出する第１導出手段と、前記導出手段に導出された前記補正量で前記画像の輝度を上げる補正をした場合に、補正後の前記画像の輝度が閾値を超えるか否かを判定する第２判定手段と、補正後の前記画像の輝度が前記閾値を超えると判定された場合は、前記複数の光源それぞれの前記光量の減少量を少なくする光量調整手段と、前記画像の輝度を上げるための補正量を、前記光量調整手段による調整後の前記光量の減少量に応じて導出する第２導出手段と、を備えたことを特徴とする。
【発明の効果】
【００１６】
請求項１ないし９の発明によれば、液晶画面に表示させる画像において、画面を照らすバックライトが有する複数の光源の光量を減少させるとともに、画像輝度を上げる補正を行って、画像全体の明るさを適切にさせる、その補正を行う際に、画像輝度が第１閾値を超えないようにするため、画像において白くなる領域が無くなり、画像における看者に対する視認性を向上させることができる。
【００１７】
また、請求項２の発明によれば、表示装置は、請求項１における第２判定処理を、特定領域を対象に実施するため、処理速度を早くできる。
【００１８】
また、請求項３の発明によれば、表示装置は、請求項２における第２判定処理の、特定領域を画面の中央にするため、画面の中央に表示される傾向にある重要な内容を看者に対して確実に認識させることができる。
【００１９】
また、請求項４の発明によれば、表示装置は、請求項１における第２判定処理を、カーナビ画像における自車位置マークを含む一定の範囲を対象に実施するため、処理速度を早くできるとともに、案内画像のうち最も重要な情報の一つである自車位置マーク及びその周辺を、看者に対して確実に認識させることができる。
【００２０】
また、請求項５の発明によれば、表示装置は、画像輝度を補正する際に、画像輝度が第１閾値を超える場合は、画像輝度を一律に下げる補正をして階調を豊かにしつつ白くなる領域の発生を防止する。
【００２１】
また、請求項６の発明によれば、表示装置は、画像輝度のうち、第１閾値と第２閾値との間に特定画素が所定割合以上含まれる場合は、画像輝度を一律に下げる補正をするため、画像の階調を豊かにしつつ白くなる領域及び黒くなる領域の発生を防止することができる。
【００２２】
また、請求項７の発明によれば、表示装置は、画像輝度を補正する際に、画像輝度が第１閾値を超える場合は、画素を補正する補正量を変更する係数をその画素の輝度が低いほど小さく設定するため、階調が乏しくならないようにし、画像において白くなる領域及び黒くなる領域を防止することができる。
【００２３】
また、請求項８の発明によれば、表示装置は、画像輝度のうち、第１閾値と第２閾値との間に特定画素が所定割合以上含まれない場合は、画素を補正する補正量を変更する係数をその画素の輝度が低いほど小さく設定するため、階調が乏しくならないようにし、画像において白くなる領域及び黒くなる領域を防止することができる。
【００２４】
また、請求項９の発明によれば、液晶画面に表示させる画像において、画面を照らすバックライトが有する複数の光源の光量を減少させるとともに、画像輝度を上げる補正を行って、画像全体の明るさを適切にさせる、その補正を行う際に、画像輝度が第１閾値を超えないようにすることによって、画像において白くなる領域が無くなるため、画像における看者に対する視認性を向上させることができる。
【００２５】
また、請求項１０の発明によれば、表示装置は、画像輝度を補正する際に、画像輝度が第１閾値を超える場合は、画像輝度を補正する基準となる光量を減少させるため、画像において白くなる領域が無くなり、画像における看者に対する視認性を向上させることができる。
【図面の簡単な説明】
【００２６】
【図１】図１は、表示部を示す図である。
【図２】図２は、車載装置のシステム構成図である。
【図３】図３は、画像を示す図である。
【図４】図４は、画像を示す図である。
【図５】図５は、輝度及び光量を示す図である。
【図６】図６は、表示画像及びバックライトを示す図である。
【図７】図７は、車載装置が実行する制御内容を示すフローチャート図である。
【図８】図８は、輝度及び光量を示す図である。
【図９】図９は、輝度を示す図である。
【図１０】図１０は、表示画像及びバックライトを示す図である。
【図１１】図１１は、輝度を示す図である。
【図１２】図１２は、車載装置が実行する制御内容を示すフローチャート図である。
【図１３】図１３は、輝度を示す図である。
【図１４】図１４は、輝度を示す図である。
【図１５】図１５は、輝度を示す図である。
【図１６】図１６は、輝度を示す図である。
【図１７】図１７は、輝度を示す図である。
【図１８】図１８は、画像を示す図である。
【発明を実施するための形態】
【００２７】
以下で説明する技術は、表示部を搭載した種々の表示装置に適用されるものであるが、便宜上、車載装置を例にして具体的に説明する。従って、車載装置について、添付図面を参照しながら、車載装置に搭載される表示部の構造、車載装置の構成、及び、車載装置の制御に分けて説明を行う。
【００２８】
＜代表の実施の形態＞
＜車載装置に搭載の表示部の構成＞
車両に搭載される表示装置である車載装置が備える表示部の構成を、図１に基づいて説明する。表示部７は、カラーフィルタ１、液晶層２、ＴＦＴ（Ｔｈｉｎ  Ｆｉｌｍ  Ｔｒａｎｓｉｓｔｏｒ）３、バックライト４、及び、タッチパネル６などにより構成される。
【００２９】
カラーフィルタ１は、３原色（ＲＧＢ）が画素ごとに印刷されたフィルムである。
【００３０】
液晶層２は、外部電圧などが加わると分子配列が変わる、所謂、液晶シャッターである。
【００３１】
ＴＦＴ３は、マトリクス状に配置された電極により構成される薄膜トランジスタである。ＴＦＴ３は、画像調整部が電極へ流す電気を制御することによって、マトリクス状の狙いのセルへ電圧を発生させて、当該セルに対応する液晶層２における液晶の分子配列を変える、つまり、バックライトの光をカラーフィルタ１側へ透過させて狙いの色を画面に表示させる機能を担っている。
【００３２】
バックライト４は、光源となる複数のＬＥＤ（Ｌｉｇｈｔ  Ｅｍｉｔｔｉｎｇ  Ｄｉｏｄｅ）５を直列に並べて有している。つまり、バックライト４は、カラーフィルタ１、液晶層２及びＴＦＴ３によって構成された表示部の画面を照明する機能を担っている。
【００３３】
バックライト４のタイプは、簡易構造のエッジライトタイプであり、薄い構造の表示部が要求される、つまり、小型化が要求される車載装置には最適な構造であるといえる。このような、エッジライトタイプのバックライトには、複数の光源であるＬＥＤ５が矩形を成す表示部の底辺（下底）近傍に直列に備わるため、光が表示部７において、その一辺と対向する底辺（上底）に向かうほど弱くなってしまうのを防ぐ、つまり、表示部７においてバックライトの光が均一になるようにする偏光板が備わっている。
【００３４】
また、バックライト４は、構成するＬＥＤ５を発光させる又は発光させないという単純発光だけではなく、ＬＥＤ５ごとに制御電流のデューティ比を異ならせることによって、ＬＥＤ５ごとの光量を変更させることができる。
【００３５】
タッチパネル６は、抵抗を有する金属薄膜からなる透明電極によって構成されるパネルである。タッチパネル６は、この電極をマトリクス状に配列しており、ユーザによってタッチされた画面の位置に応じた電極付近に電圧が発生するようになっている。このため、車載装置は、電圧が発生した位置をユーザが操作した位置であると判断することができる。
【００３６】
このような、カラーフィルタ１、液晶層２、ＴＦＴ３、バックライト４、及び、タッチパネル６などを積層させた表示部７のうち、ＴＦＴ３やバックライト４を、車載装置の画像調整部やバックライト調整部が制御することによって、表示部７の画面にカーナビゲーション画像やＴＶ画像などの画像を表示させることができる。
【００３７】
＜車載装置の構成＞
次に、車載装置の構成を図２に基づいて説明する。車載装置２０は、表示部７、制御部１１、画像調整部８、バックライト調整部９、揮発性記憶部１０、放送受信部１２、カメラ入力部１３、ディスク読取部１４、及び、カーナビゲーション部１５などを、データ通信可能なバスや信号線に電気的に接続して構成している。
【００３８】
制御部１１は、ＣＰＵや制御プログラムなどが記憶されているＲＯＭなどにより構成されたマイコンである。例えば、制御部１１は、信号線を介して、タッチパネル６からユーザが所望する機能を選択するユーザ操作を受け付けて、デジタルＴＶを表示部７へ表示させる、車両周辺画像を表示部７へ表示させる、ＤＶＤ画像を表示部７へ表示させる、又は、カーナビゲーション画像を表示部７へ表示させるなどの画像表示制御を、画像調整部８及びバックライト調整部９と協働して実行する。
【００３９】
画像調整部８は、ＬＳＩ（Ｌａｒｇｅ  Ｓｃａｌｅ  Ｉｎｔｅｇｒａｔｉｏｎ）である。例えば、画像調整部８が備える輝度判定部２１、補正量導出部２２、ハレーション判定部２３、補正量変更部２４、補正部２５、及び、ＴＦＴ制御部２６が、それぞれ、輝度判定機能、補正量導出機能、ハレーション判定機能、補正量変更機能、補正機能、及び、ＴＦＴ制御機能を発揮する。各機能の詳細については後述する。
【００４０】
バックライト調整部９は、ＬＳＩ（Ｌａｒｇｅ  Ｓｃａｌｅ  Ｉｎｔｅｇｒａｔｉｏｎ）である。例えば、バックライト調整部９が備える光量判定部２７、及び、バックライト制御部２８が、それぞれ、光量判定機能、及び、バックライト制御機能を発揮する。各機能の詳細については後述する。
【００４１】
揮発性記憶部１０は、例えば、ＳＲＡＭ（Ｓｔａｔｉｃ  Ｒａｎｄｏｍ  Ａｃｃｅｓｓ  Ｍｅｍｏｒｙ）である。揮発性記憶部１０は、制御部１１、画像調整部８、又は、バックライト調整部９において、それぞれの機能を発揮させる際に、導出された制御値などの結果を一時的に記憶させる、つまり、ワーキングエリアである。その機能の詳細については後述する。
【００４２】
放送受信部１２は、空中に発せられているデジタルＴＶ放送の電波を直接受信するＴＶ放送アンテナ１６によってその電波を受信し、受信した電波に基づいて図３に示すようなＴＶ画像Ｇ１を抽出する機能を担う。また、放送受信部１２は、抽出したＴＶ画像Ｇ１を信号線を介して、制御部１１へ送信する。
【００４３】
カメラ入力部１３は、車両２９において撮像方向を車両外側へ向けて備えられた、つまり、車両外部の映像が撮像可能に備えられた車載カメラ１７から信号線を介して受信した画像を、一定の画像に調整するＡＧＣ（Ａｕｔｏｍａｔｉｃ  Ｇａｉｎ  Ｃｏｎｔｒｏｌ）などの機能を担う。また、カメラ入力部１３は、調整した車両外部の画像を信号線を介して、制御部１１へ送信する。
【００４４】
ディスク読取部１４は、ユーザによりセットされたＤＶＤ１８に記録されているＤＶＤ画像を読み取る機能を担う。また、ディスク読取部１４は、読み取ったＤＶＤ１８に記録されていたＤＶＤ画像を信号線を介して、制御部１１へ送信する。
【００４５】
カーナビゲーション部１５は、ＧＰＳアンテナ１９により受信したＧＰＳ信号などに基づいて、算出した自車位置データに応じた地図画像を、搭載する記憶装置から読み出し、自車位置マークなどのデータと組み合わせて、図４に示すようなカーナビゲーション画像Ｇ２を生成する機能を担う。また、カーナビゲーション部１５は、カーナビゲーション画像Ｇ２を制御部１１へ送信する。
【００４６】
＜車載装置の制御＞
車載装置２０の制御部１１は、表示部７のタッチパネル６を介して、ＴＶモード設定のユーザ操作を受け付けると、画像調整部８やバックライト調整部９と協働して、ＴＶ放送アンテナ１６により受信したＴＶ画像Ｇ１を、表示部７へ表示する。
【００４７】
また、制御部１１は、表示部７のタッチパネル６を介して、車外画像モード設定のユーザ操作を受け付けると、画像調整部８やバックライト調整部９と協働して、カメラ入力部１３が調整した車外画像を、表示部７へ表示する。
【００４８】
また、制御部１１は、表示部７のタッチパネル６を介して、ＤＶＤ再生モード設定のユーザ操作を受け付けると。画像調整部８やバックライト調整部９と協働して、ディスク読取部１４がＤＶＤ１８から読み出したＤＶＤ画像を、表示部７へ表示する。
【００４９】
また、制御部１１は、表示部７のタッチパネル６を介して、カーナビゲーションモード設定のユーザ操作を受け付けると、画像調整部８やバックライト調整部９と協働して、カーナビゲーション部１５が生成した、自車位置マークＪ、所定の機能の実行を受け付ける選択マークＭ、及び、地図画像などを含むカーナビゲーション画像Ｇ２を、表示部７へ表示する。
【００５０】
また、車載装置２０の制御部１１などは、メニュー画像やカーナビゲーション画像Ｇ２などを表示させた表示部７の画面において、消費電力を低減させるエコモードを、ユーザに対して選択可能にしている。制御部１１などは、エコモードが表示部７のタッチパネル６を介してユーザにより選択されない場合は、通常モードとなり、バックライト４を構成する複数のＬＥＤ５を適宜に発光させる通常処理を実行する。
【００５１】
制御部１１が複数のＬＥＤ５を適宜光らせるための通常処理を説明する。なお、説明の便宜上、図６などに示すように、左から１個目を５−１、左から２個目を５−２、左から３個目を５−３というようにアドレスを付することとする。
【００５２】
画像調整部８の輝度判定部２１は、通常モードにおいて、通常処理を実行する場合、入力された画像における画素の輝度の平均（平均輝度）を導出し、導出した平均輝度に応じてバックライト４により発光させる量を判定する。具体的には、図５に示すように、光量判定部２７により、平均輝度Ｌ１に応じた一定の光量Ｌ２が判定される。
【００５３】
バックライト４の通常処理においては、図５は、横軸が表示部７の画面の横方向の位置を示し、縦軸がレベルを示す。つまり、図５における、実線が画面に表示される画像の横方向（図６に示すカーナビゲーション画像Ｇ２の長辺方向）の各位置における縦方向（図６に示すカーナビゲーション画像Ｇ２の短辺方向）の平均輝度Ｌ１を示し、図５における、破線が画面の横方向に備わるバックライト４、つまり、画面の横方向に直列に備わる複数のＬＥＤ５それぞれの光量Ｌ２を示す。従って、図５によれば、画面に表示される画像の横方向の各位置における縦方向の平均輝度Ｌ１に応じたバックライト４の光量Ｌ２を理解することができる。
【００５４】
ここで、光量判定部２７が判定する、画像の平均輝度Ｌ１に応じた光量Ｌ２について詳細に説明する。光量判定部２７は、画面に表示された画像の横方向の任意の位置における縦方向の平均輝度による明るさと、その任意の位置と対応して備わるＬＥＤ５の光量による明るさとをあわせた明るさが、その任意の位置における縦方向の画面の明るさとして最適になるようにＬＥＤ５の光量を判定する。
【００５５】
つまり、画像を表示する画面における、輝度判定部２１において判定された画像の横軸における縦方向の平均輝度Ｌ１による明るさと、光量判定部２７が判定する複数のＬＥＤ５それぞれの光量Ｌ２による明るさと、をあわせた明るさが車載装置２０において目標とする明るさになるように調整される。換言すると、車載装置２０は、表示部７の画面へ表示する画像の目標とする明るさと画像における複数画素の輝度による明るさとの差分をバックライト４の光量による明るさに設定している。
【００５６】
具体的には、光量判定部２７は、輝度判定部２１において判定された、画像の横方向の任意の位置における縦方向の平均輝度Ｌ１を検索キーにして、平均輝度Ｌ１と光量Ｌ２とが関連付けて記憶されたメモリから、その任意の位置と対応して備わるＬＥＤ５の光量Ｌ２を導出する。
【００５７】
なお、バックライトである複数のＬＥＤ５は、前述した通り画面の底辺（下底）近傍において、底辺に平行して直列に備わるため、画面を照明するレベルの変化を画面の縦方向においてのみ実行可能である。このため、光量判定部２７は、ＬＥＤ５の光量を判定する基準を画像の縦方向の平均輝度を用いている。
【００５８】
一方、車載装置２０の制御部１１などは、ＴＶ画像Ｇ１やカーナビゲーション画像Ｇ２などの画像を表示させた表示部７の画面において、ユーザに対して選択可能にしているエコモードが表示部７のタッチパネル６を介してユーザにより選択された場合は、エコモードとなり、バックライト４を構成する複数のＬＥＤ５を通常処理よりも暗く発光させる特別処理を実行する。
【００５９】
車載装置２０が実行する特別処理について、図７に基づいて詳細に説明する。なお、車載装置２０は、画像を初期表示する際に、又は、更新表示する際に、車載装置２０の電源がユーザによって切られるまで、図７に示す種々の処理を繰り返して実行する。
【００６０】
以降、車載装置２０がエコモードにおいて実行する種々の処理、つまり、図７に示す制御処理について詳細に説明する。
【００６１】
車載装置２０は、前述したタイミングにより、図７に示す種々の処理を実行する。まず、ステップＳ１において、車載装置２０が備える画像調整部８の輝度判定部２１は、入力された（受信した）画像における画素の輝度の平均（平均輝度）を導出する。
【００６２】
具体的には、図８に示すように、表示部７の画面に映る画像の横方向（長方形の画面に映る画像の長辺方向）の各位置における縦方向（長方形の画面に映る画像の短辺方向）の平均輝度Ｌ１を導出する。次に、ステップＳ２へ移行する。
【００６３】
ステップＳ２において、バックライト調整部９の光量判定部２７が、画像調整部８から受信した平均輝度Ｌ１のデータに応じて判定したバックライト４の光量を更に所定割合（例えば、５％）下げた光量を判定する。
【００６４】
具体的には、図８に示すように、光量判定部２７により、平均輝度Ｌ１に応じた一定の光量Ｌ２が通常モードと同様に判定される。更に、光量判定部２７は、光量Ｌ２に基づいて光量Ｌ３を判定する。つまり、光量判定部２７は、光量を判定する際に平均輝度Ｌ１に応じた光量Ｌ２を基準とし、この基準である光量Ｌ２よりも減少した光量Ｌ３を判定する。
【００６５】
図８は、図５と同様に横軸が表示部７の画面の横方向の位置を示し、縦軸がレベルを示すものであって、図８の実線が画面に表示される画像の横方向の各位置における縦方向の平均輝度Ｌ１を示し、図８の破線が画面の横方向に備わるバックライト４、つまり、画面における底辺近傍に直列に備わる複数のＬＥＤ５それぞれの光量Ｌ２及び光量Ｌ３を示す。従って、図８によれば、画面に表示される画像の横方向の各位置における縦方向の平均輝度Ｌ１に応じたバックライト４の光量Ｌ２、光量Ｌ２を更に所定割合下げた光量Ｌ３を理解することができる。
【００６６】
なお、バックライトである複数のＬＥＤ５は、前述した通り画面の底辺（下底）近傍において、底辺に平行して直列に備わるため、画面を照明するレベルの変化を画面の縦方向においてのみ実行可能である。このため、光量判定部２７は、ＬＥＤ５の光量を判定する基準を画像の縦方向の平均輝度を用いている。次に、ステップＳ３へ移行する。
【００６７】
ステップＳ３において、画像調整部８の補正量導出部２２は、バックライト調整部９から受信した光量Ｌ３のデータに応じて、平均輝度Ｌ１を補正する補正量Ｘを導出する
前述したように、光量判定部２７は、画面に表示された画像の横方向の任意の位置における縦方向の平均輝度と、その任意の位置と対応して備わるＬＥＤ５の光量とをあわせた明るさが、その任意の位置における縦方向の画面の明るさとして最適になるようにＬＥＤ５の光量を判定する。つまり、車載装置２０全体としては、表示部７の画面へ表示する画像の目標とする明るさと画像における複数画素の輝度による明るさとの差分をバックライト４の光量による明るさに設定している。
【００６８】
しかし、画像調整部８は、光量判定部２７において、光量Ｌ３は平均輝度Ｌ１に応じた光量Ｌ２から所定割合下げているため、光量Ｌ３による明るさが、画面へ表示する画像における当初の目標の明るさと平均輝度Ｌ１による明るさとの差分にはならない。
【００６９】
そこで、画像調整部８は、バックライト調整部９の光量判定部２７により光量Ｌ２から光量Ｌ３へと下げた分の明るさを、平均輝度による明るさでフォローする。つまり、画像調整部８の補正量導出部２２が、光量判定部２７によって光量Ｌ２から光量Ｌ３へと下がったために低下した明るさに応じて、平均輝度Ｌ１による明るさを上げるための、平均輝度Ｌ１に対する補正量Ｘを導出する。
【００７０】
具体的には、補正量導出部２２は、光量判定部２７から受信した光量Ｌ３を検索キーにして、光量Ｌ３と補正量Ｘとが関連付けて記憶されたメモリから、補正量Ｘを導出する。次に、ステップＳ４へ移行する。
【００７１】
ステップＳ４において、画像調整部８のハレーション判定部２３は、入力された（受信した）画像を、補正量導出部２２により導出された補正量Ｘによって補正した画像（補正後の画像）の輝度が第１閾値を超えたか否かを判定する。ステップＳ４における処理の詳細を図９に示すフローチャートに基づいて説明する。まず、ステップＳ４１へ移行する。
【００７２】
ステップＳ４１において、ハレーション判定部２３は補正後の画像、例えば、図１０に示すように、補正後のカーナビゲーション画像Ｇ２における、複数の画素それぞれの輝度Ｋが、飽和する第１閾値（例えば、２５５ｃｄ）を超えたか否かを判定する。画素の輝度Ｋが第１閾値を超えたと判定する場合は、ステップＳ４２へ移行する（ステップＳ４１においてＹｅｓ）。画素の輝度Ｋが第１閾値を超えたと判定しない場合は、リターンへ移行する（ステップＳ４１においてＮｏ）。
【００７３】
なお、本実施の形態では、各画素の輝度は、例えば、８ビット（０〜２５５）で表現される。
【００７４】
例えば、図１１は、図１０における画面Ｙ軸の任意の位置Ｓ１における画面Ｘ軸の画素の輝度Ｋのレベルを表した図であり、画面Ｙ軸の任意の位置Ｓ１において画面Ｘ軸における２つの領域の画素の輝度Ｋが第１閾値を超えていることがわかる。
【００７５】
ステップＳ４２において、ハレーション判定部２３は、入力された（受信した）画像における何れかの画素の輝度Ｋが第１閾値を超えたことを示すフラグをオンにする。
【００７６】
なお、このフラグは揮発性記憶部１０などの所定の領域に設定されるものであり、車載装置２０のイニシャル処理、及び、エンド処理などにおいてオフにされる識別データである。次に、リターンへ移行する。
【００７７】
車載装置２０は、リターンへ移行すると図７に示す制御処理へ戻り、ステップＳ５へ移行する。
【００７８】
ステップＳ５において、画像調整部８の補正量変更部２４は、補正量導出部２２によって導出された補正量Ｘを画素の輝度Ｋが第１閾値を超えた場合に変更する係数を導出する。ステップＳ５における処理の詳細を図１２に示すフローチャートに基づいて説明する。まず、ステップＳ５１へ移行する。
【００７９】
ステップＳ５１において、画像調整部８の補正量変更部２４は、揮発性記憶部１０の所定の領域に設定されるフラグがオンか否かを判定する。フラグがオンであると判定する場合は、ステップＳ５２へ移行する（ステップＳ５１においてＹｅｓ）。フラグがオンであると判定しない場合は、リターンへ移行する（ステップＳ５１においてＮｏ）。
【００８０】
ステップＳ５２において、補正量変更部２４は、画像調整部８へ入力される（が受信した）画像のに含まれる全画素のうち輝度Ｋが第１閾値（例えば、２５５）以下、かつ、第２閾値（例えば、２００）以上となる特定画素が所定割合（例えば、７０％）以上であるか否かを判定する。特定画素が所定割合以上であると判定する場合は、ステップＳ５３へ移行する（ステップＳ５２においてＹｅｓ）。特定画素が所定割合以上であると判定しない場合は、ステップＳ５５へ移行する（ステップＳ５２においてＮｏ）。
【００８１】
例えば、図１３は、カーナビゲーション画像Ｇ２の画像における複数の画素のそれぞれに応じた複数画素の輝度Ｋのレベルを表したものでる。更に、図１３は、図１０における画面Ｙ軸の任意の位置Ｓ１における画面Ｘ軸の画素の輝度Ｋのレベルを表した図であって、この図によれば、画面Ｙ軸の任意の位置Ｓ１において画面Ｘ軸における２つの領域の画素の輝度Ｋが第１閾値を超えていること、及び、輝度が第１閾値以下、かつ、第２閾値以上となる特定画素が所定割合以上であることがわかる。実際には、画面Ｙ軸の任意の位置Ｓ１以外の位置においても同様の判定をするため、画面Ｙ軸の全ての位置に対して同様の判定を行い、平均的にその判定がされるか否かの処理を行う。
【００８２】
例えば、図１４は、ＴＶ画像Ｇ１の画像における複数の画素のそれぞれに応じた複数画素の輝度Ｋのレベルを表したものである。更に、図１５は、図１４における画面Ｙ軸の任意の位置Ｓ１における画面Ｘ軸の画素の輝度Ｋのレベルを表した図であって、この図によれば、画面Ｙ軸の任意の位置Ｓ１において画面Ｘ軸における４つの領域の画素の輝度Ｋが第１閾値を超えていること、及び、輝度が第１閾値以下、かつ、第２閾値以上となる特定画素が所定割合以上ではないことがわかる。実際には、画面Ｙ軸の任意の位置Ｓ１以外の位置においても同様の判定をするため、画面Ｙ軸の全ての位置に対して同様の判定を行い、平均的にその判定がされるか否かの処理を行う。
【００８３】
つまり、カーナビゲーション画像Ｇ２はイラスト画像であって、風景画などからなるＴＶ画像Ｇ１よりも画像の階調は豊かではないため、カーナビゲーション画像Ｇ２の輝度Ｋは第１閾値以上、かつ第２閾値以下の範囲に収まる傾向にある。また、風景画などからなるＴＶ画像Ｇ１は非イラスト画像であって、イラスト画像からなるカーナビゲーション画像Ｇ２よりも画像の階調は豊かであるため、ＴＶ画像Ｇ１の輝度Ｋは第１閾値以上、かつ第２閾値以下の範囲に収まらない傾向にある。
【００８４】
ステップＳ５３において、補正量変更部２４は、入力された画像における複数の画素それぞれの輝度Ｋを補正するための補正量を調整する（低下させる）係数を導出する。その係数は、全画素の輝度Ｋを補正する補正量に対して同一の係数であって、調整した補正量に基づいて全画素の輝度を補正した際に、図１６に示すように、複数画素の輝度Ｋのうち第１閾値を超えた最大輝度が第１閾値以下となるように設定される。また、そのように調整した補正量に基づいて全画素の輝度を補正した際に、複数画素の輝度Ｋのうち低い輝度の画素が黒つぶれしないように、又は、黒つぶれする画素が多くならないように、その最大輝度が第１閾値以下で、かつ、第１閾値近傍になるように設定される。
【００８５】
つまり、その係数は、その係数により調整した補正量に基づいて全画素の輝度を補正した際に、複数画素の輝度Ｋのうち第１閾値を超えた最大輝度が第１閾値以下となるように、かつ、全画素の輝度Ｋが一律に低くなるように、かつ、低い輝度Ｋの画素が黒つぶれしないように設定される。
【００８６】
従って、カーナビゲーション画像Ｇ２のような画像は、複数画素のうち所定割合の画素の輝度Ｋが、第１閾値以下、かつ、第２閾値以上に収まるため、つまり、画素の輝度を補正した際に画素が黒つぶれするような低い輝度の画素が少ないため、全画素の輝度Ｋを一律に下げる補正を行っても、画像が黒つぶれすることがないか、黒つぶれしてもその量は少ない。次に、ステップＳ５４へ移行する。
【００８７】
ステップＳ５５において、補正量変更部２４は、入力された画像における複数の画素それぞれの輝度Ｋを補正するための補正量を調整する係数を導出する。その係数は、調整した補正量に基づいて全画素の輝度を補正した際に、複数画素の輝度Ｋのうちの最大輝度が第１閾値以下になるように、その最大輝度を補正する補正量を調整する係数を設定するとともに、他の画素の輝度を補正する補正量に対する係数を、画素の輝度が低いほど小さく設定する。
【００８８】
つまり、その係数は、その係数により調整した補正量に基づいて全画素の輝度を補正した際に、図１７に示すように、複数画素の輝度Ｋのうち第１閾値を超えた最大輝度が第１閾値以下となるように、かつ、低い輝度Ｋの画素が黒つぶれしないように、かつ、画像の階調が豊かになるように設定される。
【００８９】
従って、風景画などからなるＴＶ画像Ｇ１である非イラスト画像は、画像における複数画素の輝度のうち大部分の画素の輝度が、第１閾値以下ではあるものの、第１閾値以下、かつ、第２閾値以上の範囲に収まらない、つまり、画像の階調が豊かで、画素の輝度を補正した際に画像が黒つぶれするような低い輝度の画素が多く、全画素の輝度のうち輝度が低くなるに従ってそれら画素の輝度を補正する補正量も少なくすることによって、補正後の画素が黒つぶれすることがないか、黒つぶれしてもその量は少ない。次に、ステップＳ５４へ移行する。
【００９０】
ステップＳ５４において、補正部２５は、補正した全画素の輝度Ｋが第１閾値以下になったため、揮発性記憶部１０などの所定の領域に設定された、複数画素のうちの何れかの画素の輝度が第１閾値を超えたことを示すフラグをオフにする。次に、リターンへ移行する。
【００９１】
車載装置２０は、リターンへ移行すると図７に示す制御処理へ戻り、ステップＳ６へ移行する。
【００９２】
ステップＳ６において、補正部２５は、設定した係数に基づいて補正量を調整し、更に、その補正量に基づいて全画素の輝度Ｋを補正する。次に、ステップＳ７へ移行する。
【００９３】
ステップＳ７において、画像調整部８のＴＦＴ制御部は、補正部２５によって補正された画像に基づいてＴＦＴ３を制御する。具体的には、補正された画像における複数の画素それぞれの輝度に基づいて、ＴＦＴ３を制御してカラーフィルタ１における１画素ごとに充てられたＲＧＢの３原色の何れかにバックライト４の光を透過させて、表示部７において画像が表示されるようにする。次に、ステップＳ８へ移行する。
【００９４】
ステップＳ８において、バックライト調整部９のバックライト制御部２８は、光量判定部２７が判定した光量に基づいてバックライト４が有するＬＥＤ５へ流す電気を制御する。具体的には、判定された光量Ｌ３となるようにＬＥＤ５−１からＬＥＤ５−２１までをデューティ制御する。次に、リターンへ移行する。
【００９５】
従って、車載装置２０が液晶画面に表示させる画像における、画像における複数画素の輝度による明るさと、バックライトによる明るさとを含めた「総合の明るさ」において、バックライトによる明るさを下げることによって、消費電力を低減させつつ、下げたその明るさに応じて、画像における複数画素の輝度による明るさを上げることによって、「総合の明るさ」を補償するとともに、画像における複数画素の輝度による明るさを上げる際に、画像における複数画素の輝度が第１閾値を超えないようにすることによって、画像において白くなる領域が無くなり、画像における看者に対する視認性を向上させることができる。
【００９６】
＜変形例＞
以上、本発明の実施の形態について説明してきたが、この発明は上記実施の形態に限定されるものではなく様々な変形が可能である。以下では上記実施の形態の変形例について説明する。もちろん、以下で説明する変形例を適宜組み合わせても良い。
【００９７】
＜変形例１＞
上記代表の実施の形態における、図７に示す制御処理において、ステップＳ４に示すハレーション判定処理を、図３のＴＶ画像Ｇ１や図４のカーナビゲーション画像Ｇ２における画像の一定の範囲である特定領域ＺＮを対象に実行する。特定領域ＺＮとは、画面の中央であり、例えば、カーナビゲーション画像Ｇ２においては、自車位置マークを含む矩形を成す領域であって、その矩形の底辺は画像の底辺と近接し、その画像の底辺は画像を映す画面を照明するバックライト４が有する複数のＬＥＤ５が直列に備わるラインと近傍の底辺である。
【００９８】
つまり、車載装置２０は、画像において重要な内容が示される画像の中央であって、バックライト４がその光量を制御可能な特定領域ＺＮを対象に、ハレーション判定処理を行って、この特定領域ＺＮにおいてハレーションが発生しないようにしつつ、逆に、画像において比較的重要な内容が示されない特定領域ＺＮ以外の範囲は、ハレーション判定処理を実行しないようにすることによって、画像における重要な内容を確実に示しつつ、画像の表示処理速度を速めることができる。
【００９９】
＜変形例２＞
上記代表の実施の形態において、車載装置２０は、図７に示す制御処理を更新表示する際に実行すると説明したが、図７に示す現在実行する制御処理のうち、ステップＳ１からステップＳ５までの処理の結果は、前回実行されたものを用いても良い。換言すると、車載装置２０は、図７に示す現在実行する制御処理のうち、ステップＳ１からステップＳ５までの処理の結果を、次回のステップＳ６からステップＳ８までの制御処理に用いても良い。
【０１００】
例えば、車載装置２０は、図１９に示すように、カーナビゲーション画像Ｇ２−１からカーナビゲーション画像Ｇ２−５へと更新表示する場合に、カーナビゲーション画像Ｇ２−２はカーナビゲーション画像Ｇ２−１においてステップＳ１からステップＳ５までの処理結果を用いて画像表示処理を行い、カーナビゲーション画像Ｇ２−３はカーナビゲーション画像Ｇ２−２においてステップＳ１からステップＳ５までの処理結果を用いて画像表示処理を行い、カーナビゲーション画像Ｇ２−４はカーナビゲーション画像Ｇ２−３においてステップＳ１からステップＳ５までの処理結果を用いて画像表示処理を行い、カーナビゲーション画像Ｇ２−５はカーナビゲーション画像Ｇ２−４においてステップＳ１からステップＳ５までの処理結果を用いて画像表示処理を行う。
【０１０１】
つまり、車載装置２０は、現在画像のステップＳ６からステップＳ８の表示処理において、前回画像（前回フレーム）に対するステップＳ１からステップＳ５までの処理結果を用いる。
【０１０２】
結果、車載装置２０は、ステップＳ６からステップＳ８における画像表示処理をする際は、現在表示する画像に使用する補正量、ハレーション判定結果、ハレーション時に変更した補正量を、前回得られたものにするため、画像表示速度を早くさせることができる。また、動画のように類似する画像を連続して表示する場合には、前回フレームの判定結果や補正量などのパラメータを現在フレームに適用させても、映像品質が悪くなることは少ない。
【０１０３】
＜変形例３＞
上記代表の実施の形態において、車載装置２０は、図７に示す制御処理のうちステップＳ４のハレーション判定処理で、ハレーション判定部２３が画素の輝度Ｋが第１閾値を超えたと判定する場合に、揮発性記憶部１０の所定の領域のフラグをオンにして、ハレーションが発生したことを判定すると説明したが、第１閾値をこえなくても、図７に示す制御処理が所定のタイミングで複数回実行される際に、画素の輝度Ｋが第２閾値を超えた状態で、第１閾値を超える傾向が強くなった場合にハレーションが発生したことを判定しても良い。
【０１０４】
具体的に説明すると、ハレーション判定部２３は、図７に示す制御処理が所定のタイミングで複数回にわたって実施される際に、現在処理している画素の輝度Ｋを、前回処理した画素の輝度Ｋと比較して急激に第１閾値へ接近している場合に、つまり、前回処理している画素の輝度Ｋから現在処理した画素の輝度Ｋの差分が所定値以上の場合に、第１閾値を超える傾向が強くなったと判定する。
【０１０５】
これにより、実際にハレーションが発生する前に画像の補正を施すことができる。
【０１０６】
＜変形例４＞
上記変形例３において、車載装置２０は、図７に示す制御処理が所定のタイミングで複数回実行される際に、画素の輝度Ｋが第２閾値を超えた状態で、第１閾値を超える傾向が強くなった場合にハレーションが発生したことを判定すると説明したが、その傾向が連続して所定回数（例えば、５回）にわたって強くなる場合にハレーションが発生したことを判定するものであっても良い。
【０１０７】
また、その傾向が連続して所定回数のうち１回のみ強くない場合にもハレーションが発生したことを判定するものであっても良い。
【０１０８】
これにより、ハレーションの発生を確実に判定できるとともに、ノイズなどによる誤判定を排除してハレーションの発生の判定精度を向上させることができる。
【０１０９】
＜変形例５＞
上記代表の実施の形態において、車載装置２０は、図７に示す制御処理のうちステップＳ４のハレーション判定処理で、ハレーション判定部２３が画素の輝度Ｋが第１閾値を超えたと判定する場合に、揮発性記憶部１０の所定の領域のフラグをオンにして、ハレーションが発生したことを判定すると説明したが、画像における複数の画素それぞれの輝度のうち、第１閾値を超えた輝度の画素数が所定数以上の場合に、ハレーションが発生したと判定するものであっても良い。
【０１１０】
これにより、画像においてハレーションが発生した部分が少ない場合には、看者に対する画像の視認性が大して問題にはならないため、画素の輝度を低下させる補正を禁止させて、ハレーションが発生していない部分の視認性を向上させることができる。
【０１１１】
＜変形例６＞
上記代表の実施の形態において、車載装置２０は、光量判定部２７が輝度判定部２１において判定された画素の輝度に基づいて、バックライト４の光量を判定すると説明したが、図７に示す制御処理が所定のタイミングで複数回実行される際に、前回のタイミングで実行されたステップＳ４のハレーション判定処理において、ハレーションが判定された場合は、現在のタイミングで実行されるステップＳ２の光量判定処理において、光量の減少量を少なくする。
【０１１２】
具体的に説明すると、バックライト調整部９の光量判定部２７が、画像調整部８から受信した平均輝度Ｌ１に応じた一定の光量Ｌ２が判定される。更に、光量判定部２７は、光量Ｌ２に基づいて光量Ｌ３よりも減少量を少なくした光量Ｌ３Ｘを判定する。
【０１１３】
これにより、現在のタイミングで実行されるステップＳ４のハレーション判定処理において、画素の輝度Ｋが第１閾値を超えることが少なくなり、ステップＳ５の補正量変更処理において、全体的に画素の輝度を抑制させることを防ぐことができる。結果、看者に対する画像の視認性を向上させることができる。
【０１１４】
＜変形例７＞
また、上記実施の形態では、プログラムに従ったＣＰＵの演算処理によってソフトウェア的に各種の機能が実現されると説明したが、これら機能のうちの一部は電気的なハードウェア回路により実現されても良い。また逆に、ハードウェア回路によって実現されるとした機能のうちの一部は、ソフトウェア的に実現されても良い。
【０１１５】
更に、各実施例の制御を説明するフローチャート図における各処理は、便宜上、一の系列で示しているが、細分化された各処理を各制御部がマルチタスク制御機能により直列に処理するものであっても良い。
【符号の説明】
【０１１６】
１    カラーフィルタ
２    液晶層
３    ＴＦＴ
４    バックライト
５    ＬＥＤ
６    タッチパネル
７    表示部
８    画像調整部
９    バックライト調整部
１０    揮発性記憶部
１１    制御部
２０    車載装置
２１    輝度判定部
２２    補正量導出部
２３    ハレーション判定部
２４    補正量変更部
２５    補正部
２６    ＴＦＴ制御部
２７    光量判定部
２８    バックライト制御部
【図１】
2011248060.tif 000003
【図２】
2011248060.tif 000004
【図３】
2011248060.tif 000005
【図４】
2011248060.tif 000006
【図５】
2011248060.tif 000007
【図６】
2011248060.tif 000008
【図７】
2011248060.tif 000009
【図８】
2011248060.tif 000010
【図９】
2011248060.tif 000011
【図１０】
2011248060.tif 000012
【図１１】
2011248060.tif 000013
【図１２】
2011248060.tif 000014
【図１３】
2011248060.tif 000015
【図１４】
2011248060.tif 000016
【図１５】
2011248060.tif 000017
【図１６】
2011248060.tif 000018
【図１７】
2011248060.tif 000019
【図１８】
2011248060.tif 000020